(57)【特許請求の範囲】
【請求項１】
枠体１内には冷媒を圧縮する圧縮機２と、高温のガス状冷媒が送られるコンデンサ３と、液化した冷媒がキャピラリを介して送られるエバポレータ４とを設け、エバポレータ４で気化した冷媒が圧縮機２に戻される冷凍サイクルを構成すると共に、
エバポレータ４で除湿したドレン水を集めるドレンタンク５を設け、
該ドレンタンク５の上部には支軸７ａを回動中心として駆動するタンクレバー７を取付け、該タンクレバー７には前記ドレンタンク５にのぞませた浮き子６と、該浮き子６とは支軸７ａを挟んだ反対側の端部に設けた可動端７ｂとを備え、
前記枠体１内にはタンクレバー７の可動端７ｂと連動して開閉するスイッチ８を設け、前記タンクレバー７の可動端７ｂはタンクなしとタンク満量位置でスイッチ８から離開し、スイッチ８が開路となって圧縮機２を停止する空気調和機において、
前記タンクレバー７はドレンタンク５の一方の側面板５ａに近接して配置し、
そのタンクレバー７の側方にはドレンタンク５の底面から立設して一方の端がドレンタンク５の背面板５ｂと接続する仕切板５ｃを形成し、
前記タンクレバー７は前記支軸７ａがドレンタンク５の側面板５ａと仕切板５ｃに嵌合すると共に、前記可動端７ｂをドレンタンク５の背面板５ｂ側に向けて取り付けており、
前記ドレンタンク５の上部開口を覆う蓋９を取り付け、該蓋９には前記タンクレバー７の可動端７ｂの上方が開口するように排水口９ａを設け、前記ドレンタンク５内の水面と前記蓋９の排水口９ａとの間に前記タンクレバー７が位置していることを特徴とする空気調和機のドレンタンクの構造。
【請求項２】
前記排水口９ａはドレンタンク５の背面板５ｂと蓋９との連続するコーナ部に設けたことを特徴とする請求項１記載に空気調和機のドレンタンクの構造。
【請求項３】
前記タンクレバー７の浮き子６の側方には蓋９から下方に向けて遮蔽板９ｂを設けたことを特徴とする請求項１記載の空気調和機のドレンタンクの構造。
【請求項４】
前記タンクレバー７の側部には上端を蓋９付近まで届かせた側板７ｃを形成したことを特徴とする請求項１記載の空気調和機のドレンタンクの構造。
【請求項５】
前記ドレンタンク５と前記タンクレバー７との間にはタンクレバー７の回動範囲を規制する規制手段１０を設けると共に、前記浮き子６には底面からタンクレバー７側に向けて傾斜面６ａを設けたことを特徴とする請求項１記載の空気調和機のドレンタンクの構造。
【発明の詳細な説明】
【技術分野】
【０００１】
この発明は枠体内に冷凍サイクルを備えた一体型の空気調和機のドレンタンクの構造に関する。
【背景技術】
【０００２】
冷風機や除湿機と呼ばれる空気調和機は、枠体内に圧縮機・コンデンサ・エバポレータ等からなる冷凍サイクルを備えており、エバポレータを通過して冷却される空気に含まれる水分がエバポレータの表面に結露してドレン水となり、エバポレータの下方に設けられたドレンパンに落下し、枠体内の下部に備えた着脱自在のドレンタンクに集められる。そして、使用者はドレンタンクのドレン水が一定量溜まるごとにドレンタンクを取出して排水を行うものである。
【０００３】
ドレンタンクの上部には支軸を回動中心として浮き子によって駆動するタンクレバーを備えており、枠体内にはタンクレバーの可動端と連動するスイッチを配置しており、ドレンタンクを装着するとタンクレバーの可動端がスイッチを押し、運転可能な状態となる。運転中にドレンタンクが満量になると浮き子が上昇してタンクレバーが駆動するので可動端がスイッチから離れてスイッチが切換わり、圧縮機の運転が停止してエバポレータでドレン水が発生しないようにすると共に、警報音や警報表示で取扱者に伝えるようになっている。
【０００４】
ドレンタンクが満量になったときは、枠体内からドレンタンクを取出してドレンタンクの排水を行うことで連続して使用できるものであるが、ドレンタンクの取出しや持ち運びの際に水がこぼれたり、タンクレバーの浮き子に水が入ったりすることがある。
【０００５】
ドレンタンクの取出しや持ち運びの際に水がこぼれると枠体内や床面を濡らしてしまうから、ドレンタンクの上部の開口を覆う蓋を取付け、ドレンタンクの水がこぼれないようにしており、更に排水用の小さな蓋を設けて、この蓋を外したあとの開口から水を捨てるようにしたものがある（特許文献１参照）。
【０００６】
また、浮き子の中に水が残ったままになるとドレンタンクが満量となったときにタンクレバーが駆動できず、満量が正確に検出できなくなってしまうから、ドレンタンクの水を捨てるときに浮き子に入った水も一緒に捨てる必要がある。このため、浮き子の回動範囲を規制して、ドレンタンクを傾けたときに浮き子も一緒に傾けることができるようにして、ドレンタンクの排水時に浮き子の水を捨てることができるようにしたものがある（特許文献２参照）。
【特許文献１】特開２００１−２６３７２２号公報。
【特許文献２】特開２００２−２７６９９４号公報。
【発明の開示】
【発明が解決しようとする課題】
【０００７】
ドレンタンクに蓋を取付けたものは、ドレンタンクが満量の状態でドレンタンクの取出しや持ち運びを行っても水がこぼれる心配はないが、排水作業のたびに蓋を着脱しなければならず、蓋を外すときには水をこぼさないよう慎重に作業を行なう必要があり、蓋に排水用の開口を備えた構造はドレンタンクを傾けただけではドレンタンク内に水が残ってしまうため、排水作業は大変面倒であった。
【０００８】
また、特許文献２はドレンタンクの排水時に浮き子の水を捨てることができるようにしたものであるが、この構成では浮き子が水平面を越えた位置で規制されるため、ドレンタンクを横向きにしたときに浮き子の開口部が少し上を向いており、ドレンタンクの水を全て排水しても浮き子に水が残ってしまうことがあった。
【課題を解決するための手段】
【０００９】
この発明は上記の課題を解決するもので、枠体１内には冷媒を圧縮する圧縮機２と、高温のガス状冷媒が送られるコンデンサ３と、液化した冷媒がキャピラリを介して送られるエバポレータ４とを設け、エバポレータ４で気化した冷媒が圧縮機２に戻される冷凍サイクルを構成すると共に、エバポレータ４で除湿したドレン水を集めるドレンタンク５を設け、該ドレンタンク５の上部には支軸７ａを回動中心として駆動するタンクレバー７を取付け、該タンクレバー７には前記ドレンタンク５にのぞませた浮き子６と、該浮き子６とは支軸７ａを挟んだ反対側の端部に設けた可動端７ｂとを備え、前記枠体１内にはタンクレバー７の可動端７ｂと連動して開閉するスイッチ８を設け、前記タンクレバー７の可動端７ｂはタンクなしとタンク満量位置でスイッチ８から離開し、スイッチ８が開路となって圧縮機２を停止する空気調和機において、前記タンクレバー７はドレンタンク５の一方の側面板５ａに近接して配置し、そのタンクレバー７の側方にはドレンタンク５の底面から立設して一方の端がドレンタンク５の背面板５ｂと接続する仕切板５ｃを形成し、前記タンクレバー７は前記支軸７ａがドレンタンク５の側面板５ａと仕切板５ｃに嵌合すると共に、前記可動端７ｂをドレンタンク５の背面板５ｂ側に向けて取り付けており、前記ドレンタンク５の上部開口を覆う蓋９を取り付け、該蓋９には前記タンクレバー７の可動端７ｂの上方が開口するように排水口９ａを設け、前記ドレンタンク５内の水面と前記蓋９の排水口９ａとの間に前記タンクレバー７が位置していることを特徴とするものである。
【００１０】
また、排水口９ａはドレンタンク５の背面板５ｂと蓋９との連続するコーナ部に設けたから、ドレンタンク５の水を残すことなく排水できるものである。
【００１１】
また、タンクレバー７の浮き子６の側方には蓋９から下方に向けて遮蔽板９ｂを設けており、浮き子６へ向かって流れる水を遮蔽板９ｂによって遮ることができ、浮き子６の上面の開口部がドレンタンク５と蓋９によって囲まれているから、浮き子６への水の流入を防ぐことができる。
【００１２】
また、タンクレバー７の側部には上端を蓋９付近まで届かせた側板７ｃを形成したものでは、タンクレバー７へ向かう水を側板７ｃによって遮ることで浮き子６への水の流入を防ぐことができる。
【００１３】
また、ドレンタンク５とタンクレバー７との間にはタンクレバー７の回動範囲を規制する規制手段１０を設けると共に、前記浮き子６には底面からタンクレバー７側に向けて傾斜面６ａを設けたから、ドレンタンク５の排水のためにドレンタンク５を傾けたときは浮き子６も一緒に傾き、浮き子６の傾斜部６ａがドレンタンク５の背面板５ｂより先に下を向くのでドレンタンク５の水より先に浮き子６の水が排出でき、浮き子６の水を確実に排出することができる。
【発明の効果】
【００１４】
エバポレータで発生したドレン水はドレンタンク５に集められ、ドレンタンク５が満量になったときはドレン水の排水を行うものであり、ドレンタンク５の取出しや持ち運びの際に水がこぼれないようにドレンタンク５の上部を覆う蓋９を取付け、蓋９には排水口９ａを設けたから、ドレンタンク５の水を捨てるときに蓋９を取外す必要がなくなったものである。
【００１５】
蓋９に排水口９ａを設けるとドレンタンク５の移動時に排水口９ａから水がこぼれる心配があるが、この発明ではタンクレバー７をドレンタンク５の側面板５ａに寄せて配置し、タンクレバー７の側方に仕切板５ｃを設け、蓋９の排水口９ａをドレンタンク５の側面板５ａと仕切板５ｃの間のタンクレバー７の上部に配置し、ドレンタンク５の水面と蓋９の排水口９ａとの間にタンクレバー７を位置させたもので、排水口９ａ部分はドレンタンク７によって覆われているから、ドレンタンク５の取出しや持ち運びの際に排水口９ａから水がこぼれることはなく、ドレンタンク５の排水作業が容易に行なえるものとなった。
【００１６】
また、排水口９ａをドレンタンク５の背面板５ｂと蓋９の連続するコーナ部に設けることで、ドレンタンク５を傾けるだけでドレンタンク５に水を残すことなく排水できるものとなり、ドレンタンク５の排水作業が容易に行えるものとなった。
【００１７】
また、タンクレバー７の浮き子６の側方には蓋９から下方に向けて遮蔽板９ｂを形成したから、浮き子６へ向かう水を遮蔽板９ｂによって遮ることができると共に、満水時に上昇した浮き子６の上面の開口部は蓋９に近接しているから、ドレンタンク５内の水が浮き子６の上面の開口部まで届きにくくなり、浮き子６への水の流入を防ぐことができるものとなった。
【００１８】
また、タンクレバー７の上面に水がかかってタンクレバー７の上面を伝って浮き子６に水が入ることがあるが、この発明のタンクレバー７は上端を蓋９付近まで届かせた側板７ｃを設けたので、ドレンタンク５の水を側板７ｃによって遮ることができ、タンクレバー７の上面に水がかかることがなくなったから、浮き子６への水の流入を防ぐことができるものとなった。
【００１９】
上記構成であれば浮き子６に水が入ることはほとんどなくなったが、もし浮き子６に水が入ってしまったときには、浮き子６の水を排出する必要がある。この発明では規制手段１０によって浮き子６の回動範囲を規制しているから、ドレンタンク５の水を捨てるためにドレンタンク５を傾けたときに浮き子６も一緒に傾くことができ、浮き子６にはタンクレバー７側に向かって傾斜部６ａを設けてドレンタンク５の水より先に浮き子６の水が排水できるようにしたから、ドレンタンク５の排水を行うだけで浮き子６の水が確実に排水できるものとなった。
【発明を実施するための最良の形態】
【００２０】
図に示す実施例によってこの発明を説明すると、１は空気調和機の枠体、２は枠体１内に配置した冷媒圧縮用の圧縮機、３は圧縮機２で圧縮された冷媒が高温高圧となって送られるコンデンサ、４はコンデンサ３で液化した冷媒が送られるエバポレータであり、冷媒はエバポレータ４に送られて気化し、冷媒の気化熱によって周囲を冷却する。その後エバポレータ４で気化した冷媒ガスは圧縮機２に戻され、再び圧縮機２で加熱された冷媒がコンデンサ３に送られて循環している。
【００２１】
３ａは室内空気を吸引して前記コンデンサ３を通過させる排風ファン、１１は枠体１の背面側に配置した排気吹出口、４ａは室内空気を吸引してエバポレータ４を通過させる冷風ファン、１２は枠体１の正面に配置した冷風吹出口、１３は排風ファン３ａと冷風ファン４ａを駆動するファンモータであり、該ファンモータ１３が回転すると排風ファン３ａと冷風ファン４ａが一緒に回転し、排風ファン３ａの風が排気吹出口１１から吹出し、冷風ファン４ａの風が冷風吹出口１２から吹出すものである。
【００２２】
圧縮機２で加圧されて高温高圧となったガス状冷媒はコンデンサ３を通過するときに排風ファン３ａによって送られる室内空気によって冷却されて液化し、コンデンサ３を通過して高温となった空気は排気吹出口１１から排出される。また、液化した冷媒がエバポレータ４に送られると、液体の冷媒がエバポレータ４を通過する時に気化するものであり、冷風ファン４ａによって送られる室内空気は気化熱によって冷却され、冷風となって冷風吹出口１２から吹出すものである。
【００２３】
１４はエバポレータ４の下方に配置したドレン受け、５は枠体１内の下部に配置したドレンタンク、１４ａはドレン受け１４とドレンタンク５とを連通するドレンパイプ、１ａは枠体１の下部に開口するタンク収納部であり、エバポレータ４を通過する空気に含まれる水分が凝縮してドレン水となってドレン受け１４に落下し、ドレンパイプ１４ａに誘導されてドレンタンク５に溜まり、ドレンタンク５はタンク収納部１ａから取出して捨て水する。
【００２４】
５ａはドレンタンク５の側面板、５ｃはドレンタンク５の底板から立設した仕切板、６はドレンタンク５の上部開口からドレンタンク５内にのぞませた浮き子、７は浮き子６と一体に形成したタンクレバー、７ａはタンクレバー７の途中に凸状に張出すように設けた支軸であり、タンクレバー７の支軸７ａはドレンタンク５の側面板５ｂと仕切板５ｃに設けた軸孔に嵌合され、タンクレバー７と浮き子６は支軸７ａを中心に回動可能になっている。
【００２５】
７ｂはドレンタンク５の可動端、８は枠体１のタンク収納部１ａ内に設けたスイッチであり、スイッチ８はドレンタンク５が満量になっていない状態でタンク収納部１ａに装着したときにタンクレバー７の可動端７ｂと当接する位置に取付けてある。
【００２６】
ドレン水によってドレンタンク５が満量になっていない状態でドレンタンク５をタンク収納部１ａ内に装着すると、スイッチ８はタンクレバー７の可動端７ｂに押されて閉路となり、空気調和機が運転可能状態となる。そして、空気調和機を運転してドレンタンク５が満量になると、浮き子６が浮力によって上昇してタンクレバー７が回動し、タンクレバー７の可動端７ｂがスイッチ８から離開してスイッチ８が開路となり、圧縮機２の運転を停止すると共に、ランプを点灯したりブザーを鳴らすなどして取扱者に満水を知らせる。
【００２７】
満水の知らせを受けた取扱者はドレンタンク５をタンク収納部１ａから取出し、ドレンタンク５の水を捨てるものである。９はドレンタンク５に着脱可能に取付けた蓋であり、蓋９はドレン水をドレンタンク５内に導入するための孔が設けてあり、ドレンタンク５の上面開口を蓋９で覆うことによってドレンタンク５の取出しや持ち運びの際にドレン水がこぼれないようにしている。
【００２８】
従来のドレンタンクに蓋を取付けた構造のものは水を捨てるときに蓋を外さなければならないが、蓋を外すときにドレンタンク５を揺らすと水がこぼれることがあるため、取扱者は蓋を取外すときにはドレンタンク５の水をこぼさないよう慎重に作業を行わなければならなかった。
【００２９】
この発明はドレンタンクに蓋を取付けたままでも排水作業を行えるようにして、取扱いやすいドレンタンクを提案するもので、５ｂはドレンタンク５の背面板であり、タンクレバー７をドレンタンク５の一方の側面板５ａに近接して配置し、仕切板５ｃをタンクレバー７の側方に近接して配置し、仕切板５ｃは一方の端がドレンタンク５の背面板５ｂと接続するようにしている。９ａは蓋９に設けた排水口であり、排水口９ａは側面板５ａと仕切板５ｃとの間のタンクレバー７の可動端７ｂの上方に配置している。
【００３０】
ドレンタンク５内は仕切板５ｃによって分割され、タンクレバー７を配置した側の側面板５ａと仕切板５ｃとの間隔が狭くなっているから、ドレンタンク５の取出しや持ち運びの際にタンクレバー７の下方の水面の揺れを小さく抑えることができると共に、蓋９の排水口９ａとドレンタンク５内の水面との間にはタンクレバー７が配置されているから、ドレンタンク５の取出しや持ち運びの際に水面が揺れてもタンクレバー７で遮ることができ、蓋９の排水口９ａから水がこぼれることはない。
【００３１】
この構成であれば、ドレンタンク５から蓋９を取外さなくてもドレンタンク５の水を捨てることができ、蓋９に排水口９ａが設けてあってもドレンタンク５の取出しや持ち運びの際に水がこぼれることはないから、ドレンタンク５の排水作業が容易に行えるものとなり、取扱い性が向上できたものである。
【００３２】
また、蓋９に排水口９ａを設けた構造では、ドレンタンク５を傾けただけではドレンタンク５に水が残ってしまうものであり、ドレンタンク５を動かしたり逆さまに向けたりする必要があるが、この発明では排水口９ａをドレンタンク５の背面板５ｂと蓋９の連続するコーナ部に設けたから、ドレンタンク５を傾けるだけで排水口９ａが最も低く位置し、ドレンタンク５に水を残すことなく排水できるものとなった。
【００３３】
また、９ｂは蓋９からドレンタンク５内に向けて下向きに形成した遮蔽板であり、該遮蔽板９ｂはタンクレバー７の浮き子６の側方に近接するように配置して浮き子６の側方からの水を遮蔽板９ｂによって遮っている。浮き子６はドレンタンク５の側面板と前面板、及び蓋９の遮蔽板９ｂによって囲まれており、ドレンタンク５がドレン水で満量となったときは図２に示すように浮力によって上昇した浮き子６の上面の開口部が蓋９に近接しているから、ドレンタンク５の水面が揺れても、水位が蓋９付近まで上昇しなければ浮き子６には水が入ることはなく、浮き子６への水の流入を防ぐことができるものとなった。
【００３４】
７ｃはタンクレバー７の側部に形成した上向きの側板であり、側板７ｃの上端は蓋９付近まで届かせている。タンクレバー７の上面に水がかかったときには、この水がタンクレバー７を流れて浮き子６へ入ることがあったが、タンクレバー７に側板７ｃを形成することにより、ドレンタンク５の水位が蓋９付近まで上昇しなければ水が側板７ｃを越えることはないから、タンクレバー７の上面に水がかかることがなくなり、浮き子６への水の流入を防ぐことができた。
【００３５】
上記構成により浮き子６にはほとんど水が入ることはないが、浮き子６への水の流入を完全に防ぐことは難しいため、浮き子６に水が入ってしまったときには浮き子６の水を確実に捨てることのできる構造が必要である。
【００３６】
１０はタンクレバー７の回動範囲を規制するための規制手段、６ａは浮き子６の内部空間をタンクレバー７側に向かって広がるように設けた傾斜面であり、ドレンタンク５の水を捨てるためにドレンタンク５を傾けたときには回動を規制されたタンクレバー７がドレンタンク５と一緒に傾き、ドレンタンク５の背面板５ｂに対して浮き子６の傾斜面６ａの傾斜角度が維持できるようになっている。
【００３７】
実施例を示す図において、７ｄはタンクレバー７の支軸７ａに対して可動端７ｂとは反対位置に形成した突起であり、突起７ｄは仕切板５ｃの上方にのぞませて配置し、一方タンクレバー７の可動端７ｂはドレンタンク５の背面板５ｂの上方にのぞませて配置して、規制手段１０を構成している。ドレンタンク５が満量になっていない状態では、タンクレバー７の突起７ｄが仕切板５ｃと当接することによってタンクレバー７の回動を止め、一方ドレンタンク５が満量となって浮き子６が上昇してタンクレバー７が回動したときは、タンクレバー７の可動端７ｂがドレンタンク５の背面板５ｂと当接することによってタンクレバーの回動を止めるものである。
【００３８】
図４（ｂ）に示すようにドレンタンク５を傾けると、ドレンタンク５の水は排水口９ａから排出され、タンクレバー７は回動せずドレンタンク５と一緒に傾くので浮き子６の水が傾斜面６ａから排出される。ドレンタンク５を図４（ｃ）の位置まで傾けると浮き子６の傾斜面６ａが下向きになり、この位置で浮き子６ａの水はすべて排出され、ドレンタンク５には水が残っている。そして、ドレンタンク５を図４（ｄ）の位置まで傾けるとドレンタンク５の水も全て排出できる。なお、タンクレバー７の可動端７ｂにテーパを設けておけば、浮き子６から排出された水が可動端７ｂ部分に溜まることくスムーズに排水できる。
【００３９】
このようにドレンタンク５の水を捨てるときには、ドレンタンク５が横向きになる位置まで傾けており、浮き子６の傾斜面６ａがドレンタンク５の背面板５ｂよりも先に下を向いて浮き子６の水が排出できるから、取扱者はドレンタンク５の排水作業を行うだけで確実に浮き子６の水を捨てることができるものとなった。
【図面の簡単な説明】
【００４０】
【図１】この発明の実施例を示す空気調和機の断面図である。
【図２】この発明の実施例のドレン水の満量時の状態を示すドレンタンクの要部の断面図である。
【図３】図２に示すドレンタンクの一部を切欠いた要部の平面図である。
【図４】この発明の実施例であるドレンタンクの排水時の状態を示す説明図である。
【符号の説明】
【００４１】
１    枠体
２    圧縮機
３    コンデンサ
４    エバポレータ
５    ドレンタンク
５ａ  側面板
５ｂ  背面板
５ｃ  仕切板
６    浮き子
６ａ  傾斜面
７    タンクレバー
７ａ  支軸
７ｂ  可動端
７ｃ  側板
８    スイッチ
９    蓋
９ａ  排水口
９ｂ  遮蔽板
１０    規制手段
【図１】
0004747695.tif 000002
【図２】
0004747695.tif 000003
【図３】
0004747695.tif 000004
【図４】
0004747695.tif 000005